(57)【要約】【課題】床面を排水仕切部材で区画することによって、その区画領域内の排水が区画領域外に流出するのを防止できるようにした床面構造と、立ち上がり部を取り外せば歩行等の妨げにならない分割式の排水仕切部材を提供する。【解決手段】帯状の水平部２の上面に、水平部２の全長に亘る立ち上がり部３の下端部を係合又は嵌合させた、略逆Ｔ字形の断面形状を有する排水仕切部材１を、床面５上に設け、床面５を排水仕切部材１で区画した床面構造とする。区画された領域ＣＡ内の排水が区画領域外に流出するのを排水仕切部材１の立ち上がり部３で防止する。立ち上がり部３を水平部２から取り外して水平部２のみを床面に残せば、歩行等の妨げとなることはない。【選択図】図１
2014201900.tif 000002
【特許請求の範囲】
【請求項１】
帯状の水平部の上面に、水平部の全長に亘る立ち上がり部の下端部を係合又は嵌合させた、略逆Ｔ字形の断面形状を有する排水仕切部材を、床面上に設け、床面を排水仕切部材で区画したことを特徴とする床面構造。
【請求項２】
排水仕切部材の水平部の上面に全長に亘って係合溝又は嵌合溝が形成されると共に、排水仕切部材の立ち上がり部の下端部に係合凸部又は嵌合凸部が形成され、これらの係合溝又は嵌合溝と係合凸部又は嵌合凸部が係合又は嵌合して水平部と立ち上がり部が一体化されていることを特徴とする、請求項１に記載の床面構造。
【請求項３】
請求項１又は請求項２に記載された床面構造に用いられる、水平部と立ち上がり部とで構成される排水仕切部材であって、水平部の上面に全長に亘って係合溝又は嵌合溝が形成され、この係合溝又は嵌合溝に係合又は嵌合する係合凸部又は嵌合凸部が立ち上がり部の下端部に形成されていることを特徴とする排水仕切部材。
【請求項４】
水平部が軟質の合成樹脂又はゴムで形成されており、立ち上がり部が水平部よりも硬質の合成樹脂もしくはゴム又は金属、木材又はこれらを組合わせて形成されていることを特徴とする、請求項３に記載の排水仕切部材。
【請求項５】
水平部の上面に全長に亘って排水溝が形成され、排水溝の前記立ち上がり部と反対側の溝縁の高さが水平部の側端側から立ち上がり部側に近づくにつれて高くなって土手状に溝縁が形成されていることを特徴とする、請求項３又は請求項４に記載の床面構造。
【発明の詳細な説明】
【技術分野】
【０００１】
本発明は、集合住宅のバルコニーや共用廊下などの床面に適用される床面構造と、それに用いる排水仕切部材に関し、更に詳しくは、床面を排水仕切部材で区画することによって、その床面の区画領域内で植物に水やりをしたり床面を水掃除したときの排水が区画領域外の床面に流出するのを防止できるようにした床面構造と、それに用いる分割式の排水仕切部材に関する。
【背景技術】
【０００２】
バルコニーの排水仕切部材として、本出願人が既に提案した以下のようなバルコニーの排水仕切部材が知られている（特許文献１）。
即ち、この特許文献１に記載されたバルコニーの排水仕切部材は、連続するバルコニーを各住居の相当領域ごとに仕切り板で区切った集合住宅において、バルコニーに敷設された床シートの自家相当領域と隣家相当領域との境界線近傍に設置することで、自家相当領域のバルコニーから隣家相当領域のバルコニーへ排水が流出するのを防止することができる排水仕切部材であって、水平部と立ち上がり部からなる略逆Ｔ字形をしており、水平部の厚みが両隣に敷設された床シートと同じ乃至略同じで、その長さがバルコニーの幅と同じ乃至略同じであることを特徴とするものである。
【先行技術文献】
【特許文献】
【０００３】
【特許文献１】特開２００８−２２３２３９号公報
【発明の概要】
【発明が解決しようとする課題】
【０００４】
しかしながら、前記特許文献１の排水仕切部材をバルコニーなどの床面に敷設して床面を区画した床面構造では、排水仕切部材の敷設箇所によって、排水仕切部材の立ち上がり部が歩行や物を移動させるときの妨げになるといった不都合を生じる場合があり、そのような場合に邪魔な立ち上がり部を一時的に除去しようとしても、立ち上がり部は水平部と不可分一体に形成されて除去できないため、不都合を解消できないという問題があった。
【０００５】
また、前記特許文献１の排水仕切部材は水平部と立ち上がり部を分割できず、略逆Ｔ字形の立体的形状のまま保管、輸送せざるを得ないため、保管、輸送容積が大きくなって保管、輸送コストが高くつくという問題があり、また、保管、輸送中に破損する恐れもあった。
【０００６】
本発明は、上記の問題や恐れを解消することができる床面構造と排水仕切部材を提供することを解決課題とするものである。
【課題を解決するための手段】
【０００７】
上記問題を解決するため、本発明に係る床面構造は、帯状の水平部の上面に、水平部の全長に亘る立ち上がり部の下端部を係合又は嵌合させた、略逆Ｔ字形の断面形状を有する排水仕切部材を、床面上に設け、床面を排水仕切部材で区画したことを特徴とするものである。
【０００８】
本発明の床面構造においては、排水仕切部材の水平部の上面に全長に亘って係合溝又は嵌合溝が形成されると共に、排水仕切部材の立ち上がり部の下端部に係合凸部又は嵌合凸部が形成され、これらの係合溝又は嵌合溝と係合凸部又は嵌合凸部が係合又は嵌合して水平部と立ち上がり部が一体化されていることが望ましい。
【０００９】
また、上記の床面構造に用いられる本発明の排水仕切部材は、水平部と立ち上がり部とで構成される排水仕切部材であって、水平部の上面に全長に亘って係合溝又は嵌合溝が形成され、この係合溝又は嵌合溝に係合又は嵌合する係合凸部又は嵌合凸部が立ち上がり部の下端部に形成されていることを特徴とするものである。
【００１０】
本発明の排水仕切部材においては、水平部が軟質の合成樹脂又はゴムで形成され、立ち上がり部が水平部よりも硬質の合成樹脂もしくはゴム又は金属、木材又はこれらを組合わせて形成されていることが望ましい。そして、水平部の上面に全長に亘って排水溝が形成され、排水溝の前記立ち上がり部と反対側の溝縁の高さが水平部の側端側から立ち上がり部側に近づくにつれて高くなって土手状に溝縁が形成されていることが望ましい。
【００１１】
なお、本発明にいう「係合凸部又は嵌合凸部」には、立ち上がり部の下端部から突き出して水平部の係合溝又は嵌合溝に係合又は嵌合する凸部の他に、水平部の係合溝又は嵌合溝に係合又は嵌合する立ち上がり部の下端部そのものも含まれる。
【発明の効果】
【００１２】
本発明の床面構造のように、水平部の上面に立ち上がり部の下端部を係合又は嵌合させた略逆Ｔ字形の断面形状を有する排水仕切部材を床面上に設けて床面を区画すると、例えば、区画領域内で植物に水やりをしたり床面を水掃除したときに区画領域外の床面へ流出しようとする排水が、立ち上がり部に当たって堰き止められるので、区画領域外の床面へ排水が流出するのを防止することができる。
しかも、立ち上がり部の下端部は水平部の上面に係合又は嵌合されているので、立ち上がり部が歩行や物を移動させるときの妨げになるといった不都合を生じる場合には、立ち上がり部を水平部から分離、除去して不都合を解消することができる。また、立ち上がり部が破損したり、立ち上がり部の形状や意匠を変更したい場合に、立ち上がり部の交換も容易である。
【００１３】
また、本発明の床面構造において、排水仕切部材の水平部の上面に全長に亘って係合溝又は嵌合溝が形成されると共に、排水仕切部材の立ち上がり部の下端部に係合凸部又は嵌合凸部が形成され、これらの係合溝又は嵌合溝と係合凸部又は嵌合凸部が係合又は嵌合して水平部と立ち上がり部が一体化されていると、水平部の上面と立ち上がり部の下端部との係合又は嵌合の構造が簡単となり、しかも、安定して係合又は嵌合させることができ、立ち上がり部の脱着も一層容易になる。
【００１４】
また、本発明の排水仕切部材のように、水平部と立ち上がり部とで構成される排水仕切部材であって、水平部の上面に全長に亘って係合溝又は嵌合溝が形成され、この係合溝又は嵌合溝に係合又は嵌合する係合凸部又は嵌合凸部が立ち上がり部の下端部に形成されているものは、これを床面に設けて床面を区画すると上述した作用効果を得ることができ、しかも、水平部と立ち上がり部を分割して保管、輸送できるため、保管、輸送容積が小さくなって保管、輸送コストを下げることが可能となり、また、略逆Ｔ字形の立体的形状のまま保管、輸送せざるを得ない前記特許文献１の排水仕切部材のように保管、輸送中に破損する心配も解消することができる。
【００１５】
そして、本発明の排水仕切部材において、水平部が軟質の合成樹脂又はゴムで形成され、立ち上がり部が水平部よりも硬質の合成樹脂もしくはゴム又は金属、木材又はこれらを組合わせて形成されているものは、床面に若干の不陸があったとしても、水平部が柔軟であるため不陸に追従して設置することができ、一方、立ち上がり部は剛性があるため倒れたり破損するなどの不具合を未然に防止することができる。また、水平部が柔軟で立ち上がり部が剛性を有していると、水平部の係合溝又は嵌合溝と立ち上がり部の係合凸部又は嵌合凸部との係合又は嵌合による脱着作業も容易に行うことができる。
【００１６】
更に、水平部の上面に全長に亘って排水溝が形成され、排水溝の前記立ち上がり部と反対側の溝縁の高さが水平部の側端側から立ち上がり部側に近づくにつれて高くなって土手状に溝縁が形成されていると、区画領域外へ流出しようとする排水が土手状の溝縁を乗り越えて立ち上がり部で堰き止められ、その後、区画領域内へ逆流しようとする排水を溝縁が効果的に抑制することができる。しかも、溝縁の高さが立ち上がり部に近づくにつれて高くなっていると、排水が溝縁を容易に乗り越えることができ、乗り越えるときに排水の勢いがある程度弱められるので、区画領域内への逆流をより効果的に抑制することができる。
【図面の簡単な説明】
【００１７】
【図１】本発明の一実施形態に係る床面構造の斜視図である。
【図２】図１のＸ−Ｘ線に沿った拡大断面図である。
【図３】（ａ）は同床面構造に用いられる本発明の排水仕切部材の斜視図、（ｂ）は同排水仕切部材の分解断面図である。
【図４】本発明の他の実施形態に係る床面構造の平面図である。
【図５】本発明の更に他の実施形態に係る床面構造の平面図である。
【図６】（ａ）〜（ｆ）はいずれも水平部の上面と立ち上がり部の下端部との異なる係合形態を示す分解部分断面図である。
【図７】（ａ）〜（ｃ）はいずれも水平部の上面と立ち上がり部の下端部との異なる嵌合形態を示す分解部分断面図である。
【図８】（ａ）〜（ｄ）は水平部の上面と立ち上がり部の下端部との更に異なる係合形態を示す分解部分断面図である。
【図９】（ａ）は下端部に係合凸部が連続して形成された立ち上がり部の斜視図、（ｂ）は下端部に係合凸部が不連続に形成された立ち上がり部の斜視図である。
【図１０】本発明の更に他の実施形態に係る排水仕切部材の断面図である。
【図１１】本発明の更に他の実施形態に係る排水仕切部材の部分断面図である。
【図１２】立ち上がり部を分離除去した後の水平部の係合溝にキャップを取付けたところを示す部分断面図である。
【発明を実施するための形態】
【００１８】
以下、図面を参照しながら、本発明に係る床面構造の実施形態と、本発明に係る排水仕切部材の実施形態について詳細に説明する。
【００１９】
図１は本発明の一実施形態に係る床面構造の斜視図、図２は図１のＸ−Ｘ線に沿った拡大断面図、図３の（ａ）は同床面構造に用いられる本発明の排水仕切部材の斜視図、（ｂ）は同排水仕切部材の分解断面図、図４は本発明の他の実施形態に係る床面構造の平面図、図５は本発明の更に他の実施形態に係る床面構造の平面図である。
【００２０】
図１に例示する床面構造は、分割式の排水仕切部材１を集合住宅のバルコニーの床面５上に出幅ｄ方向に設けて床面５を左右に区画し、その片側部分（図１では向かって左側部分）を閉ざされた区画領域ＣＡとしたものである。排水仕切部材１による床面５の区画の仕方は自由であり、例えば、図４に例示する床面構造のように、２つの排水仕切部材１，１を直角に接続して床面５の一つの隅角部を閉ざされた区画領域ＣＡとしたり、図５に例示する床面構造のように、４つの排水仕切部材１，１，１，１を方形に接続して床面５の中央部を閉ざされた区画領域ＣＡとするなど、所望の形状に区画すればよい。また、図示はしていないが、集合住宅の連続したバルコニーの床面における自家領域と隣家領域との境界部分、例えば仕切り板（隔て板）の下側に排水仕切部材を設けて、自家領域の床面と隣家領域の床面を明確に区画してもよい。
【００２１】
上記の排水仕切部材１は、バルコニーの床面５の出幅ｄ（バルコニー前縁の凹溝５ａを除いた出幅）と同一もしくは略同一の長さを有するものであって、帯状の水平部２と、該水平部２の全長に亘って該水平部２の幅方向中央部分から立ち上がる立ち上がり部３とを備えた、断面形状が略逆Ｔ字形の部材であり、下記のように立ち上がり部３の下端部が水平部２の上面に脱着可能に係合されて、水平部２と立ち上がり部３が分割可能に一体化されたものである。
【００２２】
即ち、この排水仕切部材１の水平部２は、図３の（ａ）（ｂ）に示すように、その幅方向中央部２ａの上面が全長に亘って隆起し、この隆起した部分に偏平な逆Ｔ字形の中空断面形状を有する係合溝２ｂが水平部２の全長に亘って形成されている。一方、立ち上がり部３の下端部には、上記係合溝２ｂに対応した逆Ｔ字形の断面形状を有する係合凸部３ｂが立ち上がり部３の全長に亘って連続して形成されており、この係合凸部３ｂが水平部２の係合溝２ｂに脱着可能に係合されて、水平部２と立ち上がり部３が分割可能に一体化されている。この排水仕切部材１の更に具体的な構成は、後で詳しく説明する。
【００２３】
図２に示すように、この排水仕切部材１の平面部２はバルコニーのコンクリート製の床面５に貼着剤６で貼着されており、その両側の床面５には、床材７が床用接着剤８で接着されている。そして、排水仕切部材１の水平部２の両側端と、その両側の床材７の側端は、コーキング材９で水密的に接合されている。なお、コーキング材９に代えて、シーム液や樹脂溶接棒で水密的に接合してもよい。また、図示はしていないが、排水仕切部材１の水平部２の前端と、水平部２及び立ち上がり部３の後端も、同様にコーキング材で水密的にコーキングすることが好ましい。
【００２４】
床面５はコンクリート製に限定されるものではなく、モルタル製、木製、金属製など、建築物に採用される一般的な材質の床面であれば、本発明の床面構造を適用することができる。
【００２５】
排水仕切部材１の水平部２を貼着する貼着剤６としては、後述する床用接着剤８と同様の接着剤や粘着剤が使用され、特に、一液反応性のウレタン系接着剤などが好ましく使用される。また、貼着剤６として両面粘着テープを用いて、排水仕切部材１の水平部２を貼着してもよく、更に、貼着する必要がない場合には、排水仕切部材１を床面５に単に置き敷きするだけでもよい。
【００２６】
床材７としては、バルコニー、ベランダ、廊下などに敷設するのに適した、軟質もしくは半硬質もしくは硬質の塩化ビニル系樹脂やオレフィン系樹脂などの熱可塑性樹脂で製造された外装用の床材が好ましく使用される。この床材７は長尺シート状のものでもタイル状のものでもよく、また、下層に発泡層や不織布層を有するクッション性の床材であってもよい。なお、床材７は不要であれば省略しもよい。
【００２７】
床材７を接着する床用接着剤８としては、ウレタン系、エポキシ系、アクリル系、変成シリコーン系などの硬化型の接着剤やゴム系の接着剤などが使用され、この中でも耐水性に優れたウレタン系やエポキシ系の一液反応性又は二液混合型の接着剤が好ましく使用される。この床用接着剤８は、櫛目ごてを用いて、多数の凸条が間隔をあけて形成されるように塗布することが好ましい。
【００２８】
上記の床面構造のように、水平部２の上面の係合溝２ｂに立ち上がり部３の下端部の係合凸部３ｂを脱着可能に係合させた略逆Ｔ字形の断面形状を有する排水仕切部材１を床面５に設けて床面５を排水仕切部材１で区画すると、閉塞された区画領域ＣＡ内の床面の床材７の上で植物に水やりをしたり、区画領域ＣＡ内の床面の床材７を水掃除したときに、区画領域ＣＡ内の床面の床材７から区画領域ＣＡ外の床面５の床材７へ流出しようとする排水が、排水仕切部材１の立ち上がり部３に当たって堰き止められるので、区画領域ＣＡ外の床面５の床材７へ排水が流出するのを防止することができる。なお、区画領域ＣＡ以外の領域で水を使用した場合においても、区画領域ＣＡへの水の流入が同様に防止できることは、言うまでもない。
【００２９】
しかも、立ち上がり部３の下端部の係合凸部３ｂは、水平部２の上面の係合溝２ｂに脱着可能に係合されているので、立ち上がり部３が歩行や物を移動させるときの妨げになるなどの不都合を生じる場合には、立ち上がり部３を水平部２から分離、除去して不都合を解消することができ、また、立ち上がり部３が破損した場合や、立ち上がり部３の形状や意匠を変更したい場合に、立ち上がり部３の交換も容易である。加えて、水平部と立ち上がり部を分割して保管、輸送できるため、保管、輸送容積が小さくなって保管、輸送コストを下げることが可能となり、また、略逆Ｔ字形の立体的形状のまま保管、輸送せざるを得ない従来の排水仕切部材のように保管、輸送中に破損する心配も解消することができる。
【００３０】
本発明の排水仕切部材は、上記のように水平部２の上面に形成した係合溝２ｂに、立ち上がり部３の下端部に形成した係合凸部３ｂを脱着可能に係合させたものでもよいし、水平部２の上面に形成した嵌合溝に、立ち上がり部３の下端部に形成した嵌合凸部を脱着可能に嵌合させたものでもよいし、水平部２の上面に形成した係合凸部を、立ち上がり部３の下面に形成した係合溝に脱着可能に係合したものでもよいし、水平部２の上面に形成した嵌合凸部を、立ち上がり部３の下面に形成した嵌合溝に脱着可能に嵌合したものでもよい、
【００３１】
図６の（ａ）〜（ｆ）は、本発明の排水仕切部材における水平部２の上面と立ち上がり部３の下端部との代表的な係合形態を示す分解部分断面図であって、
図６の（ａ）に示す係合形態は、前述したように、水平部２の上面に逆Ｔ字形の中空断面形状を有する係合溝２ｂを形成する一方、この係合溝２ｂに対応した逆Ｔ字形の断面形状を有する係合凸部３ｂを立ち上がり部３の下端部に形成し、この係合凸部３ｂを上記係合溝２ｂに脱着可能に係合させたものであり、
図６の（ｂ）に示す係合形態は、水平部２の上面に二等辺台形の中空断面形状を有する係合溝２ｃを形成する一方、この係合溝２ｃに対応した二等辺台形の断面形状を有する係合凸部３ｃを立ち上がり部３の下端部に形成し、この係合凸部３ｃを上記係合溝２ｃに脱着可能に係合させたものであり、
図６の（ｃ）に示す係合形態は、水平部２の上面に、左右内側面に凹条２０ｄを有する係合溝２ｄを形成する一方、この係合溝２ｄの凹条２０ｄに対応した凸条３０ｄを両側面に有する係合凸部３ｄを立ち上がり部３の下端部に形成し、この係合凸部３ｄを上記係合溝２ｄに挿入して凸条３０ｄを凹条２０ｄに脱着可能に係合させたものであり、
図６の（ｄ）に示す係合形態は、水平部２の上面にＬ字形の中空断面形状を有する係合溝２ｅを形成する一方、この係合溝２ｅに対応したＬ字形の断面形状を有する係合凸部３ｅを立ち上がり部３の下端部に形成し、この係合凸部３ｅを上記係合溝２ｅに脱着可能に係合させたものであり、
図６の（ｅ）に示す形態は、水平部２の上面にＴ字形の断面形状を有する係合凸部２ｆを形成する一方、この係合凸部２ｆに対応したＴ字形の中空断面形状を有する係合溝３ｆを、立ち上がり部３の拡幅された下端部の下面に形成し、この係合溝３ｆに上記係合凸部２ｆを脱着可能に係合させたものであり、
図６の（ｆ）に示す係合形態は、水平部２の上面に、左右側面に凹条２０ｇを有する係合凸部２ｇを形成する一方、この係合凸部２ｇの凹条２０ｇに対応した凸条３０ｇを左右内側面に有する係合凹溝３ｇを、立ち上がり部３の拡幅された下端部に形成し、この係合凹溝３ｇに上記係合凸部２ｇを挿入して上記凸条３０ｇを上記凹条２０ｇに脱着可能に係合させたものであり、
これらの係合形態を適宜組み合わせた形態としてもよい。
【００３２】
また、図７の（ａ）〜（ｃ）は、本発明の排水仕切部材における水平部２の上面と立ち上がり部３の下端部との代表的な嵌合形態を示す分解部分断面図であって、
図７の（ａ）に示す嵌合形態は、水平部２の上面にＵ字形の中空断面形状を有する嵌合溝２ｈを形成する一方、この嵌合溝２ｈに対応した長方形の断面形状を有する嵌合凸部３ｈを立ち上がり部３の下端部に形成し、この嵌合凸部３ｈを上記嵌合溝２ｈに脱着可能に嵌合させたものであり、
図７の（ｂ）に示す嵌合形態は、水平部２の上面にＵ字形の中空断面形状を有する複数の嵌合溝２ｉを形成する一方、これらの嵌合溝２ｉに対応した方形の断面形状を有する複数の嵌合凸部３ｉを、立ち上がり部３の拡幅された下端部の下面に形成し、これらの嵌合凸部３ｉを上記の嵌合溝２ｉに脱着可能に嵌合させたものであり、
図７の（ｃ）に示す嵌合形態は、水平部２の上面に方形の断面形状を有する嵌合凸部２ｊを形成する一方、この嵌合凸部２ｊに対応した逆Ｕ字形の中空断面形状を有する嵌合溝３ｊを、立ち上がり部３の拡幅された下端部の下面に形成し、この嵌合溝３ｊに上記の嵌合凸部２ｊを脱着可能に嵌合させたものであり、
これらの嵌合形態を適宜組み合わせた形態としてもよい。
【００３３】
図８の（ａ）〜（ｄ）は、本発明の排水仕切部材における水平部２の上面と立ち上がり部３の下端部との更に異なる係合形態を示す分解部分断面図であって、
図８の（ａ）に示す係合形態は、水平部２の上面に逆Ｔ字形の中空断面形状を有する係合溝２ｋを形成する一方、立ち上がり部３の下端部に逆Ｔ字形の断面形状を有する係合凸部３ｋを形成し、更に、この係合凸部３ｋの両側下端の角部に斜めの面取り部３０ｋを設けることで、係合凸部３ｋを係合溝２ｋに容易に挿入して係合できるように図ったものである。
【００３４】
そして、図８の（ｂ）に示す係合形態は、水平部２の上面に逆Ｔ字形の中空断面形状を有する係合溝２ｍを形成して、その溝底に柔軟な発泡材などの板状の変形体２０ｍを設ける一方、立ち上がり部３の下端部に逆Ｔ字形の断面形状を有する係合凸部３ｍを形成して、その両側下端の角部に面取り部３０ｍを設け、この面取り部３０ｍによって係合凸部３ｍを係合溝２ｍに挿入し易くすると共に、上記変形体２０ｍによってガタツキをなくし、且つ、水平部２と立ち上がり部３との水密性を高めて排水が区画領域外へ流出するのを確実に防止できるように図ったものである。
【００３５】
また、図８の（ｃ）に示す係合形態は、水平部２の上面に逆Ｔ字形の中空断面形状を有する係合溝２ｎを形成する一方、立ち上がり部３の下端部に逆Ｔ字形の断面形状を有する係合凸部３ｎを形成して、その両側下端の角部に面取り部３０ｎを設けると共に、両側面に軟質のフィン状の変形体３１ｎを突設し、上記面取り部３０ｎによって係合凸部３ｎを係合溝２ｎに挿入し易くすると共に、上記フィン状の変形体３１ｎによってガタツキをなくし、且つ、水平部２と立ち上がり部３との水密性を高めて排水が区画領域外へ流出するのを確実に防止できるように図ったものである。
【００３６】
また、図８の（ｄ）に示す係合形態は、水平部２の上面に逆Ｔ字形の中空断面形状を有する係合溝２ｐを形成して、その溝底に軟質のフィン状の変形体２０ｐを設ける一方、立ち上がり部３の下端部の逆Ｔ字形の断面形状を有する係合凸部３ｐを形成して、その両側下端の角部に面取り部３０ｐを設け、この面取り部３０ｐによって係合凸部３ｐを係合溝２ｐに挿入し易くすると共に、上記フィン状の変形体２０ｐによってガタツキをなくし、且つ、水平部２と立ち上がり部３との水密性を高めて排水が区画領域外へ流出するのを確実に防止できるように図ったものである。
【００３７】
上記の変形体２０ｍ，３１ｎ，２０ｐは、係合溝２ｍ，２ｐ又は係合凸部３ｎと一体に設けていても別体で設けていてもよいが、水平部２と立ち上がり部３との水密性を高める観点、及び、ガタツキをなくして係合を強固にする観点から、係合溝２ｍ，２ｐ又は係合凸部３ｎの全長に亘って設けることが望ましく、また容易に変形できるように係合溝や係合凸部よりも柔軟な材質で形成することが望ましい。
なお、上記のような柔軟な変形体は、嵌合溝に嵌合凸部を嵌合させる形態においても、同様に設けることが望ましい。
【００３８】
本発明の排水仕切部材は、上述した係合形態又は嵌合形態のいずれか、或いはこれらの形態の組み合わせにより、水平部２の上面と立ち上がり部３の下端部を脱着可能に係合又は嵌合して、水平部２と立ち上がり部３を分割可能に一体化したものであるが、水平部２の上面と立ち上がり部３の下端部を係合して一体化した排水仕切部材は、水平部２の上面と立ち上がり部３の下端部を嵌合して一体化した排水仕切部材に比べると、立ち上がり部３が水平部２から簡単に外れないという利点があり、一方、水平部２の上面と立ち上がり部３の下端部を嵌合して一体化した排水仕切部材は、水平部２に対する立ち上がり部３の脱着作業を容易に行えるという利点がある。
【００３９】
水平部２の上面と立ち上がり部３の下端部との係合は、水平部２の上面又は立ち上がり部３の下面に形成した係合溝の一端から、立ち上がり部３の下端部又は水平部２の上面に形成した係合凸部を係合溝の長さ方向にスライドさせて係合させるスライド係合としてもよいし、柔軟な材質を選択したり係合溝と係合凸部の形状を工夫することによって、係合溝に係合凸部を上側から押し込む押し込み係合としてもよいが、後者の押し込み係合にすると、スライド係合させるだけのスペースがない場合でも、水平部２と立ち上がり部３を容易に脱着できるようになる。
【００４０】
立ち上がり部３の下端部に形成する係合凸部３ｂは、図３の（ａ）（ｂ）、図９の（ａ）に示すように、立ち上がり部３の下端部の全長に亘って連続して形成する必要は必ずしもなく、図９の（ｂ）に示すように、立ち上がり部３の下端部の全長に亘って不連続に形成されていてもよい。同様に、水平部２の上面に形成する係合凸部も、水平部２の全長に亘って連続して形成する必要がなく、不連続に形成されていてもよい。また、立ち上がり部３の下端部や水平部２の上面に形成する嵌合凸部も、立ち上がり部３や水平部２の全長に亘って連続して形成する必要がなく、不連続に形成されていてもよい。
このように係合凸部や嵌合凸部が不連続に形成されていると、これらを係合溝又は嵌合溝に押し込み係合又は押し込み嵌合する際に、係合凸部や嵌合凸部の長さに応じて脱着に要する力を容易にコントロールできるようになる。
なお、係合溝や嵌合溝は、水平部又は立ち上がり部の全長に亘って連続して形成する必要がある。
【００４１】
また、立ち上がり部３を水平部２から取り外す必要がない箇所に排水仕切部材１を設置する場合、例えば、連続するバルコニーの床面の自家領域と隣家領域との境界部分のように、上方に仕切板などが取付けられて歩行することが基本的にない箇所に排水仕切部材１を設置する場合には、立ち上がり部３が歩行の妨げになることがなく、従って、水平部２から立ち上がり部３を取り外す必要がないので、そのような場合には、水平部２の上面と立ち上がり部３の下端部との係合部分又は嵌合部分を接着剤やシーリング材や粘着剤などで固着し、立ち上がり部３を強固に取付けるようにしてもよい。このようにすると、水平部２と立ち上がり部３との係合部分又は嵌合部分の水密性が一層向上する利点もある。
【００４２】
水平部２の両側端の厚みは、床材７の厚みが１〜５ｍｍ程度であるので、これに合わせて１〜５ｍｍ程度とし、水平部２とその両側の床材７との継目部分を面一にすることが望ましい。そして、水平部２の両側端から、係合溝２ｂ又は嵌合溝が形成される幅方向中央部２ａに向かって厚みを漸増し、水平部２の幅方向中央部２ａの高さ（厚み）を３〜１５ｍｍ程度とするか、或いは、水平部２の幅方向中央部２ａのみを隆起させてその高さ（厚み）を３〜１５ｍｍ程度とすることが望ましい。なお、水平部２の幅方向中央部２ａに係合溝２ｂ又は嵌合溝を形成しないで、係合凸部又は嵌合凸部を形成する場合は、上記のように水平部２の両側端から幅方向中央部２ａに向かって水平部２の厚みを漸増したり、水平部２の幅方向中央部２ａのみを隆起させたりしなくてもよい。
【００４３】
水平部２の幅は限定されないが、５０〜１００ｍｍ程度の幅とするのが適当である。この程度の幅があると、後述する他の実施例の排水仕切部材のように、水平部２の上面に排水溝を形成し、良好な排水性を付与できる利点があるので好ましい。
【００４４】
立ち上がり部３の高さも特に限定されないが、２０〜５０ｍｍ程度の高さとするのが適当である。この程度の高さがあると、区画領域ＡＣの内部から外部へ流出しようとする排水を充分に堰き止めて、排水の流出をほぼ確実に防止できるようになる。また、立ち上がり部３の厚みは、強度などを勘案すると、１〜５ｍｍ程度とするのが適当である。
【００４５】
なお、水平部２及び立ち上がり部３は、長尺物として数ｍ以上の長さで製造しておき、施工現場で区画領域ＡＣの大きさに対応した長さに切断して使用することが望ましい。
【００４６】
排水仕切部材１を構成する水平部２や立ち上がり部３は、例えば塩化ビニル樹脂やポリオレフィン樹脂などの合成樹脂を用いて押出成形法などの公知の成形方法で容易に製造される。ただし、アルミニウムやステンレスなどの金属類、ゴム、石、木などの自然素材で形成されてもよい。
特に、水平部２が軟質塩化ビニル樹脂、軟質ポリオレフィン樹脂、熱可塑性エラストマーなどの軟質の合成樹脂又はゴムで形成され、これよりも硬質の合成樹脂もしくはゴム又は金属、木材又はこれらを組み合わせたもので立ち上がり部３が形成されていると、床面５に若干の不陸があったとしても、水平部２が柔軟であるため不陸に追従して設置することができ、一方、立ち上がり部３は水平部２よりも剛性があるため倒れたり破損するなどの不具合を未然に防止することができる。水平部と立ち上がり部とが軟質系の合成樹脂で一体に形成されている場合や、本願発明のように別体で形成されている場合であっても立ち上がり部が軟質系の合成樹脂で形成されていると、直射日光や気温によって立ち上がり部が波打つなどの外観上や機能上の不具合を生じるおそれがあるが、先述したように、水平部２を軟質の合成樹脂等で形成し、立ち上がり部３をこれよりも硬質の合成樹脂等で形成すると、床面不陸への追従性を確保しながら、前記不具合の発生を防止することができる。加えて、水平部２が柔軟で立ち上がり部３が剛性を有していると、水平部２の係合溝２ｂ又は嵌合溝と立ち上がり部３の係合凸部３ｂ又は嵌合凸部との係合又は嵌合による脱着作業も容易に行うことができる。
また、水平部２と立ち上がり部３の双方が上記の軟質の合成樹脂又はゴムで形成されていると、巻き取ったり、折り曲げたりすることができるので、輸送や包装や保管等の点で有利である。
【００４７】
図１０は本発明の他の実施形態に係る排水仕切部材の断面図、図１１は本発明の更に他の実施形態に係る排水仕切部材の部分断面図である。
【００４８】
図１０に例示する排水仕切部材１は、水平部２の隆起した幅方向中央部２ａ（以下、中央隆起部２ａという）に逆Ｔ字形の中空断面形状を有する係合溝２ｂを水平部２の全長に亘って形成する一方、立ち上がり部３の下端部に上記係合溝２ｂに対応した逆Ｔ字形の断面形状を有する係合凸部３ｂを立ち上がり部３の全長に亘って形成し、この係合凸部３ｂを上記係合溝２ｂに脱着可能に係合して水平部２と立ち上がり部３を分割可能に一体化したものであって、水平部２の中央隆起部２ａの両側の上面には、排水溝２ｑ，２ｑが水平部２の全長に亘って形成されている。なお、図１０において、排水溝２ｑ，２ｑは、立ち上がり部３の両側に形成されているが、排水溝２ｑは片側にのみ形成されていてもよいし、必要性がなければ中央隆起部２ａを省略してもよい。
【００４９】
この排水溝２ｑ，２ｑの立ち上がり部３（中央隆起部２ａ）と反対側の溝縁２ｒ，２ｒは、図１０に示すように、その高さが水平部２の両側端側から立ち上がり部３（中央隆起部２ａ）に近づくにつれて徐々に高くなって土手状に形成されており、この土手状の溝縁２ｒ，２ｒの上部は、立ち上がり部３に向かって斜め上方に迫り上がる小さな水返し部に形成されている。そして、この溝縁２ｒの内側面は凹湾曲面とされている。また、排水溝２ｑ，２ｑの底面には、小さな二等辺三角形の断面形状を有する複数の凸条２ｓが排水溝２ｑ，２ｑの全長に亘って平行に形成されている。
【００５０】
一方、立ち上がり部３は、図１０に示すように、上端部の幅が拡げられ、この拡幅された上端部の下部両側に水返し部３ｑ，３ｑが形成されている。この水返し部３ｑ，３ｑは、立ち上がり部３の垂直な両側面から左右両外側へ小さな曲率半径で凹湾曲しながら迫り出して形成されているが、図１１に示すように、立ち上がり部３の上端部と下端部を除いた部分の両側面を曲率半径の大きい凹湾曲面３ｒ，３ｒとして水返し部３ｑ，３ｑを形成してもよい。なお、水返し部は凸湾曲させて形成してもよいが、水返しの効率を考慮すると、上記のように凹湾曲している水返し部の方が好ましい。
【００５１】
図１０に示す排水仕切部材１を、図１に示すように、バルコニーの床面５上に出幅ｄ方向に設けることによって床面５を排水仕切部材１で区画し、閉ざされた区画領域ＣＡ内で植物に水やりをしたり床面を水掃除したりすると、区画領域ＣＡ外の床面へ流出しようとする排水が水平部２の土手状の溝縁２ｒを乗り越えて立ち上がり部３に当たり、水返し部３ｑでほぼ確実に排水溝２ｑに戻され、排水溝２ｑを流れてバルコニー前縁の凹溝５ａに排出される。従って、排水が区画領域ＣＡ外の床面に流出するのを水返し部３ｑによってほぼ確実に防止することができる。
また、排水溝２ｑに戻された排水が溝縁２ｒを超えて区画領域ＣＡ内へ逆流しようとしても、溝縁２ｒの上部の小さな水返し部によって再び排水溝２ｑに戻されるので、排水の区画領域ＣＡ内への逆流も確実に防止することができる。しかも、溝縁２ｒの内側面は凹湾曲面とされているので、排水が排水溝２ｑをスムーズに流れ、清掃性も向上する。
そして、排水溝２ｑの底面には凸条２ｓが平行に形成されているので、溝縁２ｒを乗り越えた排水が排水溝２ｑを横切って立ち上がり部３に当たるときの水勢が凸条２ｓによって弱められ、また、バルコニー床面５の出幅ｄ方向の流れ勾配が小さくても、凸条２ｓの整流作用によって排水が排水溝２ｑ内を一層スムーズに流れてバルコニー前縁の凹溝５ａに排出されるようになり、排水溝２ｑの清掃性も一層向上するようになる。
【００５２】
また、図１１に示すように立ち上がり部３の両側面を曲率半径の大きい凹湾曲面３ｒ，３ｒとして水返し部３ｑ，３ｑを形成したものは、土手状の溝縁２ｆを乗り越えて立ち上がり部３に当たる排水を、曲率半径の大きい凹湾曲面３ｒとした水返し部３ｑによって上向きに回転させながらスムーズに反転させて排水溝２ｑに戻すので、優れた水返し効果を発揮することができ、かつ、反転する排水で凹湾曲面３ｒが洗われるので汚れも付着し難くなる。
【００５３】
排水溝２ｑの幅は１５〜５０ｍｍ程度とするのが適当であり、また、深さは１〜１０ｍｍ程度とするのが適当である。この程度の幅と深さがあれば、立ち上がり部３に当たって戻された排水をスムーズに排出することができる。
【００５４】
また、溝縁２ｒの高さ（溝底からの高さ）は４〜２０ｍｍ程度することが好ましく、この程度の高さがあると、排水溝２ｑから区画領域ＣＡ内へ逆流しようとする排水を確実に排水溝２ｑへ戻すことができる。この溝縁２ｒの上部の水返し部は、立ち上がり部３に向かって４〜８ｍｍ程度迫り出すように斜め上方に真っ直ぐ又は湾曲させて形成することが好ましく、このようにすれば、優れた水返し効果を発揮することができる。
【００５５】
なお、排水溝２ｑ，２ｑと立ち上がり部３は接近していてもよいが、ある程度の間隔を設けることによって、排水の区画領域ＣＡ外への流出や逆流を一層起こし難くしたり、この間隔部分に凸条を設けて排水の流出や逆流をより一層起こし難くしてもよい。
【００５６】
また、立ち上がり部３を水平部２から取り外した後は、図１２に示すように、キャップ４の下面に形成した係合凸部４ｂ又は嵌合凸部を、水平部２の上面に形成した係合溝２ｂ又は嵌合溝に係合又は嵌合して、係合溝２ｂ又は嵌合溝をキャップ４で塞ぎ、係合溝２ｂ又は嵌合溝にゴミが入ったり、汚れたりしないようにすることが好ましい。このようにキャップ４を取付けても、全体の高さが低いので、歩行等の妨げになる心配は生じない。
【符号の説明】
【００５７】
１    排水仕切部材
２    水平部
２ｂ，２ｃ，２ｄ，２ｅ，２ｋ，２ｍ，２ｎ，２ｐ  係合溝
２ｈ，２ｉ  嵌合溝
２ｆ，２ｇ  係合凸部
２ｊ    嵌合凸部
２ｑ    排水溝
２ｒ    溝縁
２ｓ    凸条
３    立ち上がり部
３ｂ，３ｃ，３ｄ，３ｅ  係合凸部
３ｆ，３ｇ  係合溝
３ｉ  嵌合凸部
３ｑ  水返し部
４    キャップ
５    床面
６    貼着剤
７    床材
８    床用接着剤
９    コーキング材
ＣＡ  区画領域
【図１】
2014201900.tif 000003
【図２】
2014201900.tif 000004
【図３】
2014201900.tif 000005
【図４】
2014201900.tif 000006
【図５】
2014201900.tif 000007
【図６】
2014201900.tif 000008
【図７】
2014201900.tif 000009
【図８】
2014201900.tif 000010
【図９】
2014201900.tif 000011
【図１０】
2014201900.tif 000012
【図１１】
2014201900.tif 000013
【図１２】
2014201900.tif 000014